(57)【要約】      （修正有）【課題】箱体形成片を組み立てるだけで確実に改ざん防止機能を持たせ、簡単な組立工程でコストが安価な改ざん防止機能付包装用箱を提供する。【解決手段】一枚のブランクシートから一体的に打ち抜かれた箱体形成片から成り、側面１８の折罫線を介して連接された蓋片６８と、蓋片６８の先端に折罫線７４を介して連接した差込片７２を有する。蓋片６８と差込片７２の間の折罫線７４の一部に、差込口７６を備える。蓋片６８が設けられた側面１８に対して平行な側面１４の端部から突出し、蓋片６８が閉じられた状態で差込口７６に対向し、差込口７６に挿入されて係止される係止片３２を備える。側面１４の端部に設けられ、係止片３２に接する部分を囲む取外部４６を備える。【選択図】図１
0003149140.tif 000002
【実用新案登録請求の範囲】
【請求項１】
一枚のブランクシートから一体的に打ち抜かれた箱体形成片から成り、この箱体形成片には、互いに平行に連接された側面と、前記側面同士を糊付けして筒体に組み立てる糊付片と、前記側面の一つに折罫線を介して連接され前記側面の筒体の開口部を閉鎖する蓋片と、前記蓋片の先端に折罫線を介して連接して設けられた差込片と、前記蓋片と前記差込片の間の前記折罫線の一部に設けられた差込口と、前記蓋片が設けられている側面に対して平行な側面の端部に突出して設けられ、前記蓋片が閉じられて前記差込片がこの側面の裏面側に差し込まれたときに、前記差込口に対向し前記差込口に入れて係止される係止片と、前記側面の端部に設けられ前記係止片に接する部分を囲む取外部が設けられ、前記取外部は前記側面との境界を破断線で区切られ、前記蓋片を開けるときは、前記取外部の前記破断線を切断して前記取外部を前記係止片と共に前記側面から外すことを特徴とする改ざん防止機能付包装用箱。
【請求項２】
前記係止片が設けられた前記側面の端部には、前記係止片に連続して前記側面の中央側へ延出する一対の切断線と前記切断線の先端部どうしを連結する折罫線で区切られて前記側面から前記係止片を立ち上げる引起部が設けられ、前記取外部は前記引起部を囲んで設けられ、前記蓋片を開けるときは、前記取外部の前記破断線を切断して前記取外部を前記引起部と前記係止片と共に前記側面から外すことを特徴とする請求項１記載の改ざん防止機能付包装用箱。
【請求項３】
前記係止片は、前記切断線よりも前記引起部の基端部側に位置した折罫線で折られ、前記係止片の切断線により形成された端面が、前記差込片の差込口の凸形状により形成された段部に係止されて固定されることを特徴とする請求項２記載の改ざん防止機能付包装用箱。
【請求項４】
前記取外部は、前記引起部の前記一対の切断線の一方と、前記一対の切断線の端部を連結する折罫線に沿うＬ字形に形成され、前記取外部の端部は前記側面の端部に連通して外側に僅かに膨出する凸部が一体に設けられていることを特徴とする請求項１又は２記載の改ざん防止機能付包装用箱。
【考案の詳細な説明】
【技術分野】
【０００１】
この考案は、箱体形成片と一体に、改ざん防止用の係止片が設けられている改ざん防止機能付包装用箱に関する。
【背景技術】
【０００２】
従来、商品を収容して店頭に陳列する包装用箱には、一枚のブランクシートから一体的に打ち抜かれた箱体形成片を組み立てたものがあり、４枚の側面が連接して設けられて筒体に組み立てられ、側面の一方の端部には底部が形成され、他方の端部には蓋部が設けられ、開口を閉鎖している。蓋部は、改ざん防止のために、封止することがある。
【０００３】
例えば、特許文献１に開示されている公報には、開口部後周壁から蓋部を導出させ、開口部前周壁に開封用取外部を設け、開封用取外部に封緘手段を介して蓋部を封緘固定した包装用紙箱が開示されている。開封用取外部はミシン目からなる開封用切り離し線で囲まれ、開封用切り離し線は開口部前周壁の上端縁から下凸の枠状に形成されている。開封用取外部の右外側に、指先挿入隙間を形成するための引出式取外部が設けられている。引出式取外部は、ミシン目からなる引出式外部形成用切り離し線で囲まれている。そして、開封用取外部前面と蓋部上面とにわたって封緘用粘着テープが粘着され、封止されている。この包装用紙箱を開封するときは、引出式取外部の上端縁部をつまんで下向きに引き降ろし、引出式取外部を開封用取外部の横側から取り外して開封用取外部の横側に隙間を形成する。次に、ここに指を差し込んで開封用取外部を封緘用粘着テープとともに取り外し、開封して内容物を取り出すものである。
【特許文献１】実開平４−６０８２７号
【考案の開示】
【考案が解決しようとする課題】
【０００４】
上記背景技術の場合、包装用紙箱に貼る封緘用粘着テープが必要であり、封緘用粘着テープを取り付ける手間とコストが掛かるものであった。そこで、より簡単な操作でなおかつコストの上昇を抑え、確実に開封した跡が残る改ざん防止機能付包装用箱が求められている。
【０００５】
この考案は、上記従来の技術の問題点に鑑みてなされたものであり、箱体形成片を組み立てるだけで確実に改ざん防止機能を持たせ、簡単な組立工程でコストが安価な改ざん防止機能付包装用箱を提供することを目的とする。
【課題を解決するための手段】
【０００６】
本考案は、一枚のブランクシートから一体的に打ち抜かれた箱体形成片から成り、この箱体形成片には、互いに平行に連接された側面と、前記側面同士を糊付けして筒体に組み立てる糊付片と、前記側面の一つに折罫線を介して連接され前記側面の筒体の開口部を閉鎖する蓋片と、前記蓋片の先端に折罫線を介して連接して設けられた差込片と、前記蓋片と前記差込片の間の前記折罫線の一部に設けられた差込口と、前記蓋片が設けられている側面に対して平行な側面の端部に突出して設けられ前記蓋片が閉じられて前記差込片がこの側面の裏面側に差し込まれたときに前記差込口に対向し前記差込口に入れて係止される係止片と、前記側面の端部に設けられ前記係止片に接する部分を囲む取外部が設けられている改ざん防止機能付包装用箱である。前記取外部は前記側面との境界を破断線で区切られ、前記蓋片を開けるときは、前記取外部の前記破断線を切断して前記取外部を前記係止片と共に前記側面から外すものである。
【０００７】
また、前記係止片が設けられた前記側面の端部には、前記係止片を挟んで前記側面の中央側へ延出する一対の切断線と前記切断線の先端部どうしを連結する折罫線で区切られて設けられ前記側面から前記係止片を立ち上げる引起部が設けられ、前記取外部は前記引起部を囲んで設けられている。前記蓋片を開けるときは、前記取外部の前記破断線を切断して前記取外部を前記引起部と前記係止片と共に前記側面から外すものである。
【０００８】
前記係止片は、前記切断線よりも前記引起部の基端部側に位置した折罫線で折られ、前記係止片の切断線により形成された端面が、前記差込片の差込口の凸形状により形成された段部に係止されて固定されるものである。
【０００９】
また、前記取外部は、前記引起部の前記一対の切断線の一方と、前記一対の切断線の端部を連結する折罫線に沿うＬ字形に形成され、前記取外部の端部は前記側面の端部に連通して外側に僅かに膨出する凸部が一体に設けられている。
【考案の効果】
【００１０】
本考案の改ざん防止機能付包装用箱は、簡単な構造で箱体形成片を組み立てるだけで確実に改ざん防止機能を持たせ、別部材が不要でコストが安価であり、開封した跡が確実に残り、商品を改ざんから保護することができる。
【考案を実施するための最良の形態】
【００１１】
以下、この考案の実施形態について図面に基づいて説明する。図１〜図４はこの考案の一実施形態を示すもので、この実施形態の改ざん防止機能付包装用箱１０は、紙製等の一枚のブランクシートを打ち抜いて形成された箱体形成片１２を組み立てて設けられている。
【００１２】
図５は、箱体形成片１２を表面から見た展開図であり、箱体形成片１２は、側面１４，１６，１８，２０が、互いに平行に連接して形成され、連接している幅方向が連接方向の長さよりも長いものである。さらに、側面１４の側縁部には、改ざん防止機能付包装用箱１０の組立状態で側面２０の裏面に糊付けされる糊付片２２が設けられている。そして、糊付片２２、側面１４，１６，１８，２０は、各々折罫線２４，２６，２８，３０で区切られている。
【００１３】
側面１４において、側面どうしの連接方向に対して直角な方向の一方の端部１４ａには、係止片３２が設けられている。係止片３２は、端部１４ａのやや折罫線２４に近い位置に設けられ、端部１４ａの外側へ一定幅で突出し両角部が丸く面取りされている。側面１４の端部１４ａには、係止片３２に連続する引起部３４が設けられている。引起部３４は、端部１４ａから側面１４の中心に向かって延出し、端部１４ａに交差する一対の切断線３６，３８と、一対の切断線３６，３８の先端部同士を連結する折罫線４０で、側面１４とは区切られて設けられている。切断線３６は、折罫線２４に近いものであり端部１４ａに対してほぼ直角に設けられた直線であり、切断線３８は、折罫線２６に近いものであり端部１４ａから離れるに従い折罫線２６から離れる傾斜した直線である。折罫線４０は、切断線３６，３８の、端部１４ａと反対側の端部どうしの間に、端部１４ａに対して平行に設けられている。これにより、引起部３４は、折罫線４０を基端部として側面１４の外側へ引き起こされる。
【００１４】
係止片３２と引起部３４の境界には、側面１４の端部１４ａに繋がり両側の端部１４ａの延長線上に位置する一対の切断線４２が設けられている。一対の切断線４２の間には、切断線４２に対して平行に、切断線４２よりも引起部３４の基端部側の位置に、折罫線４４が設けられている。そして、切断線４２の折罫線４４側の端部は、切断線４２に対してほぼ直角に折り曲げられて折罫線４４の端部に連続している。
【００１５】
引起部３４の、切断線３８と折罫線４０の外側には、取外部４６が設けられている。取外部４６は、引起部３４の折罫線４０に沿って一定幅の直線部分と、引起部３４の切断線３８に隣接し側面１４の端部１４ａに近づくほど幅広となる台形状の部分が連続して設けられ、略Ｌ字形に設けられている。取外部４６は、切線が等間隔で並べられた破断線であるミシン線５０で囲まれて側面１４と区切られている。ミシン線５０の、折罫線４０に沿う部分の端部は切断線３６の延長線上で曲線を描きながら折り曲げられて切断線３６の端部近傍に達し、ミシン線５０の反対側の端部は、側面１４の端部１４ａと折罫線２６との交点に達している。取外部４６の、端部１４ａに一致する部分、つまり切断線３８と折罫線２６の間には、端部１４ａよりもわずかに外側に突出する凸部４８が設けられている。
【００１６】
側面１４の、端部１４ａと反対側の端部には、底部を形成する第一底蓋片５２が折罫線５４で区切られて設けられている。第一底蓋片５２は、折罫線５４を一辺とする三角状に形成され、折罫線２４に連続する辺は直線であり、折罫線２６に連続する辺は途中まで直線であり直線よりも先端部分は外側に膨出する曲線で設けられている。第一底蓋片５２の、折罫線２６に連続する辺の直線と曲線の境界と、折罫線５４との間の距離は、改ざん防止機能付包装用箱１０の組立状態で底部の中心に達する長さとほぼ等しい。第一底蓋片５２の、折罫線２６に連続する辺の直線部分には、略三角形の底部糊付片５６が折罫線５８で区切られて設けられている。
【００１７】
側面１６の、側面１４の端部１４ａに隣接する端部には、上フラップ６０が折罫線６２で区切られて設けられている。上フラップ６０は矩形に形成され、折罫線２６側の先端の角部が矩形に切り欠かれている。側面１６の折罫線６２と反対側の端部には、底部を形成する台形状の底フラップ６４が折罫線６６で区切られて設けられている。
【００１８】
側面１８の、側面１６の折罫線６２に隣接する端部には、矩形の蓋片６８が折罫線７０で区切られて設けられている。蓋片６８の折罫線７０の反対側の端部には、さらに差込片７２が折罫線７４で区切られて設けられている。折罫線７４には、係止片３２が差し込まれる差込口７６が設けられている。差込口７６は、改ざん防止機能付包装用箱１０の組立状態で側面１４の係止片３２が対向する位置に設けられ、折罫線３０に少し近い位置に設けられている。差込口７６は、折罫線７４よりもわずかに差込片７２側へ平行移動した切断線で設けられ、切断線の形状は差込片７２へ突出する凸状に形成されている。
【００１９】
側面１８の、折罫線７０と反対側の端部には、底部を形成する第二底蓋片７８が折罫線８０で区切られて設けられている。第二底蓋片７８は、折罫線８０を一辺とする三角状に形成され、折罫線２８に連続する辺は直線であり、折罫線３０に連続する辺は途中まで直線であり直線よりも先端部分は外側に膨出する曲線で設けられている。第二底蓋片７８の、折罫線３０に連続する辺の直線と曲線の境界と、折罫線８０との間の距離は、改ざん防止機能付包装用箱１０の組立状態で底部の中心に達する長さとほぼ等しい。第二底蓋片７８の、折罫線３０に連続する辺の直線部分には、略三角形の底部糊付片８２が折罫線８４で区切られて設けられている。
【００２０】
側面２０の、側面１８の折罫線７０に隣接する端部には、上フラップ８６が折罫線８８で区切られて設けられている。上フラップ８６は矩形に形成され、折罫線３０と反対側の先端の角部が矩形に切り欠かれている。側面２０の折罫線８８と反対側の端部には、底部を形成する台形状の底フラップ９０が折罫線９２で区切られて設けられている。
【００２１】
次に、この実施形態の改ざん防止機能付包装用箱１０の組立方法の一例について説明する。なお、ここで図５が改ざん防止機能付包装用箱１０の箱体形成片１２の表面を見たものであり、箱体形成片１２の表面が凸になる折り方を正折り、そして裏面が凸になる折り方を逆折りと称する。
【００２２】
まず、折罫線５４，６６，８０，９２を正折りし、折罫線５８，８４を逆折りし、底部糊付片５６，８２の裏面に糊９４，９６を塗布する。そして、糊付片２２の表面に糊９８を塗布する。折罫線２６を正折りし、折罫線３０を正折りする。これにより、糊付片２２の表面は糊９８により側面２０の裏面に糊付けされ、底部糊付片５６の裏面は糊９４により底フラップ６４の表面に、底部糊付片８２の裏面は糊９６により底フラップ９０の表面に糊付けされる。これにより折り畳み状態となり、この状態で出荷される。
【００２３】
次に収容物を収容し包装する工場等において、折罫線２４，２６，２８，３０を各々９０°に正折りして四角形の箱体にする。このとき、第一底蓋片５２の底部糊付片５６は底フラップ６４に、第二底蓋片７８の底部糊付片８２は底フラップ９０に糊付けされているため、二つ折りされていた折罫線５４，６６，８０，９２は自動的に引き起こされてほぼ９０°に開き、底部が形成される。第一底蓋片５２と第二底蓋片７８の外側に膨出する曲線の部分は、組み立てる途中は互いに当接し弾性変形しながら乗り越えて、組み立てたときには弾性変形が復元して互いにロックされ、箱体の底部の形状を保つ。これにより図１に示す状態となる。
【００２４】
次に、図１に示すように組み立てられた側面１４，１６，１８，２０と底部から成る箱体の内側に商品を入れ、折罫線６２，８８で上フラップ６０，８６を９０°に正折りし、折罫線７０で蓋片６８を９０°に正折りし、差込片７２を折罫線７４で正折りし、差込片７２を側面１４の裏面側に差し込んで係止し、上面が形成される。
【００２５】
この後、側面１４の引起部３４を折罫線４０で適当な角度に逆折りして、係止片３２と引起部３４を側面１４から引き起こす。次に係止片３２を、折罫線４４で引起部３４に対してほぼ９０°に正折りし、引起部３４を折罫線４０で折り曲げた角度を元に戻しながら、係止片３２を蓋片６８の差込口７６に差し込む。このとき、係止片３２の切断線４２により形成された端面３２ａが、差込片７２の差込口７６の凸形状により形成された段部７２ａに係止されてロックされ、図２、図３に示す状態となる。
【００２６】
開封するときは、図４に示すように、取外部４６の凸部４８を摘んで引き起こし、ミシン線５０を破断して取外部４６を取り外す。そして蓋片６８を上に持ち上げて開封する。係止片３２は、取外部４６と一体の状態で側面１４から外れてロックが解除され、蓋片６８とともに開く。また、ミシン線５０を破断せずに、係止片３２を引き抜いて無理に開封しようとしても、係止片３２は差込口７６の段部７２ａに当接し、差込口７６や切断線４２を変形させたりそれらの周囲の一部を破損しないと開封できない。従って、何れにしろ開封することにより確実に開封跡が残り、確実な改ざん防止効果を有する。
【００２７】
この実施形態の改ざん防止機能付包装用箱１０によれば、簡単な構造で箱体形成片を組み立てるだけで改ざん防止機能を持たせ、確実に商品を改ざんから保護することができる。さらに、粘着テープ等の別部材が不要で、簡単に組み立てられコストが安価である。開封するときは、凸部４８を摘んで引き起こすだけで簡単にミシン線５０を破断して取外部４６を側面１４から取り外して、係止片３２のロックを解除することができる。係止片３２の端面３２ａが差込片７２の段部７２ａに当接し、係止片３２を差込口７６から引き抜くことが困難であり、ミシン線５０を切断して取外部４６を外さなければ開封することができず、開封した跡が確実に残るため、改ざん防止効果が高いものである。
【００２８】
なお、この考案は上記実施形態に限定されるものではなく、各側面の大きさや形状、底部の構造等、自由に変更可能であり、蓋片と係止片は、互いに対向している一対の側面に設けられていればよく、上記以外の側面に設けられても良い。係止片、引起部、取外部等の形状は、適宜変更可能である。
【図面の簡単な説明】
【００２９】
【図１】この考案の一実施形態の改ざん防止機能付包装用箱の蓋片を閉める前の斜視図である。
【図２】この実施形態の改ざん防止機能付包装用箱の蓋片を閉めた状態の縦断面図である。
【図３】この実施形態の改ざん防止機能付包装用箱の蓋片を閉めた状態の斜視図である。
【図４】この実施形態の改ざん防止機能付包装用箱の開封する工程を示す斜視図である。
【図５】この実施形態の改ざん防止機能付包装用箱の展開図である。
【符号の説明】
【００３０】
１０  改ざん防止機能付包装用箱
１２  箱体形成片
１４，１６，１８，２０  側面
２２  糊付片
３２  係止片
３４  引起部
３６，３８，４２  切断線
４６  取外部
５０  ミシン線
６８  蓋片
７２  差込片
７２ａ  段部
７６  差込口
【図１】
0003149140.tif 000003
【図２】
0003149140.tif 000004
【図３】
0003149140.tif 000005
【図４】
0003149140.tif 000006
【図５】
0003149140.tif 000007